(57)【要約】【課題】  ネットワークに接続された複数の医用装置を素早くログインまたはログアウトできるようにし、緊急の診断・治療に対処可能な医用診断装置及び医用診断支援装置を提供する。  【解決手段】  複数の医用装置がネットワークを介して接続され、複数の医用装置をシステムログイン（又はログアウト）する際に操作部によって指示を行う受付装置と、この受付装置によってシステムログイン（又はシステムログアウト）の操作が行われたとき、ログイン・ログアウトパターンに基いていずれかの医用装置を選択し、その選択された医用装置に対してネットワークを介してシステムログイン（又はシステムログアウト）の要求を行う管理装置を備え、医用装置を素早くログイン（又はログアウト）処理する。また、システムログイン時の画面の表示状態も制御可能である。【選択図】    図１
2007068787.tif 000002
【特許請求の範囲】
【請求項１】
複数の医用装置を含み、各医用装置がネットワークを介して接続された医用診断装置であって、
前記複数の医用装置をシステムログインするための操作部を有する受付装置と、
システムログインする医用装置がリスト化されたログインパターン情報を保管し、前記受付装置によってシステムログインの操作が行われたとき、前記ログインパターン情報に基いて指定された医用装置に対して前記ネットワークを介してシステムログインの要求を行う管理装置と、を具備し、
前記システムログインの要求を受けた医用装置をログイン処理して立ち上げるようにしたことを特徴とする医用診断装置。
【請求項２】
前記管理装置は、前記システムログインパターン情報にしたがって、複数の医用装置の内、１つ以上の医用装置がログアウトした後に次の医用装置を順次にシステムログイン処理するようにしたことを特徴とする請求項１記載の医用診断装置。
【請求項３】
前記受付装置と前記管理装置は、それぞれ独立したコンピュータ装置内に設けられ、各コンピュータ装置が前記ネットワークに接続されたことを特徴とする請求項１記載の医用診断装置。
【請求項４】
前記受付装置と前記管理装置は、同一のコンピュータ装置内に設けられ、当該コンピュータ装置が前記ネットワークに接続されたことを特徴とする請求項１記載の医用診断装置。
【請求項５】
前記受付装置と前記管理装置の少なくとも一方が、前記複数の医用装置のいずれかに備えられていることを特徴とする請求項１記載の医用診断装置。
【請求項６】
前記ログインパターン情報は、診断の種別毎に予め設定された複数のログインパターンを有し、それぞれのログインパターンには少なくともシステムログインする医用装置の情報を含み、
前記受付装置は、システムログインの操作時にログインパターンを指定可能であって、前記管理装置は、前記ログインパターン情報の中から指定されたログインパターンを選択し、選択されたログインパターンに基いていずれかの医用装置に対してシステムログインの要求を行うことを特徴とする請求項１記載の医用診断装置。
【請求項７】
前記ログインパターン情報は、診断の種別毎に予め設定された複数のログインパターンを有し、それぞれのログインパターンには少なくともシステムログインする医用装置の情報を含み、
前記受付装置は、システムログインの操作時にログインパターンを指定可能であって、前記管理装置は、前記受付装置からログインパターンの指定がないときは、予め設定したログインパターンを選択し、選択したログインパターンに基いていずれかの医用装置に対してシステムログインの要求を行うことを特徴とする請求項１記載の医用診断装置。
【請求項８】
前記ログインパターン情報は、診断の種別毎に予め設定された複数のログインパターンを有し、それぞれのログインパターンには、システムログインする医用装置の情報と、それら医用装置を操作するユーザの情報を含むことを特徴とする請求項６記載の医用診断装置。
【請求項９】
複数の医用装置を含み、各医用装置がネットワークを介して接続された医用診断装置であって、
前記複数の医用装置をシステムログイン又はシステムログアウトするための操作部を有する受付装置と、
システムログインする医用装置がリスト化されたログインパターン情報と、システムログアウトする医用装置がリスト化されたログアウトパターン情報を保管し、前記受付装置によってシステムログインの操作が行われたとき、前記ログインパターン情報に基いていずれかの医用装置に対して前記ネットワークを介してシステムログインの要求を行うとともに、前記受付装置によってシステムログアウトの操作が行われたとき、前記ログアウトパターン情報に基いていずれかの医用装置に対して前記ネットワークを介してシステムログアウトの要求を行う管理装置とを具備し、
前記システムログイン又はシステムログアウトの要求に応じて選択された医用装置をログイン処理又はログアウト処理することを特徴とする医用診断装置。
【請求項１０】
複数の医用装置を含み、各医用装置がネットワークを介して接続された医用診断装置であって、
前記複数の医用装置をシステムログインするための操作部を有する受付装置と、
システムログインする医用装置がリスト化されたログインパターン情報と、システムログインした際の医用装置の表示画面の遷移を指定する画面遷移情報とを保管し、前記受付装置によってシステムログインの操作が行われたとき、前記ログインパターン情報に基いていずれかの医用装置に対して前記ネットワークを介してシステムログインの要求を行うとともに、表示画面を前記画面遷移情報に従って遷移させる管理装置とを具備し、
前記システムログインの要求を受けた医用装置をログイン処理して立ち上げ、画面の表示状態を指定された状態に遷移することを特徴とする医用診断装置。
【請求項１１】
前記ログインパターン情報は、診断の種別毎にシステムログインすべき医用装置を指定し、前記画面遷移情報はシステムログインされる医用装置毎に表示画面の遷移を指定するものであることを特徴とする請求項１０記載の医用診断装置。
【請求項１２】
前記管理装置は、前記システムログインパターン情報にしたがって、複数の医用装置の内、１つの医用装置がログアウトした後に次の医用装置を順次にシステムログインするようにし、順次システムログインした医用装置の表示画面を前記画面遷移情報にしたがって遷移させることを特徴とする請求項１０記載の医用診断装置。
【請求項１３】
ネットワークに接続された複数の医用装置をシステムログインするための医用診断支援装置であって、
前記複数の医用装置をシステムログインするための操作部を有する受付手段と、
システムログインする医用装置がリスト化されたログインパターン情報を保管し、前記受付手段によってシステムログインの操作が行われたとき、前記ログインパターン情報に基いていずれかの医用装置に対して前記ネットワークを介してシステムログインの要求を行う管理手段と、を具備し、
前記管理手段からのシステムログインの要求を受けた医用装置をログイン処理して立ち上げるようにしたことを特徴とする医用診断支援装置。
【請求項１４】
ネットワークに接続された複数の医用装置をシステムログイン又はシステムログアウトするための医用診断支援装置であって、
前記複数の医用装置をシステムログイン又はシステムログアウトするための操作部を有する受付手段と、
システムログインする医用装置がリスト化されたログインパターン情報と、システムログアウトする医用装置がリスト化されたログアウトパターン情報を保管し、前記受付手段によってシステムログインの操作が行われたとき、前記ログインパターン情報に基いていずれかの医用装置に対して前記ネットワークを介してシステムログインの要求を行うとともに、前記受付手段によってシステムログアウトの操作が行われたとき、前記ログアウトパターン情報に基いていずれかの医用装置に対して前記ネットワークを介してシステムログアウトの要求を行う管理手段とを具備し、
前記システムログイン又はシステムログアウトの要求に応じて選択された医用装置をログイン処理又はログアウト処理することを特徴とする医用診断支援装置。
【請求項１５】
ネットワークに接続された複数の医用装置をシステムログインするための医用診断支援装置であって、
前記複数の医用装置をシステムログインするための操作部を有する受付手段と、
システムログインする医用装置がリスト化されたログインパターン情報と、システムログインした際の医用装置の表示画面の遷移を指定する画面遷移情報とを保管し、前記受付装置によってシステムログインの操作が行われたとき、前記ログインパターン情報に基いていずれかの医用装置に対して前記ネットワークを介してシステムログインの要求を行うとともに、表示画面を前記画面遷移情報に従って遷移させる管理手段とを具備し、
前記システムログインの要求を受けた医用装置をログイン処理して立ち上げ、画面の表示状態を指定された状態に遷移することを特徴とする医用診断支援装置。
【発明の詳細な説明】
【技術分野】
【０００１】
本発明は、複数の医用装置を有し、緊急診断を要する場合等に各医用装置を素早くログインまたはログアウトできるようにした医用診断装置及び医用診断支援装置に関する。
【背景技術】
【０００２】
従来、医用診断装置は、Ｘ線ＣＴ装置、ＭＲＩ装置（磁気共鳴イメージング装置）、超音波診断装置、Ｘ線診断装置等、各種の医用装置を含み、これらの医用装置はＬＡＮ等のネットワークに接続されており、医師は患者の病状に応じて、いずれかの医用装置を選択し、選択された装置によって医用画像を取得して診断を行っている。
【０００３】
また、ネットワーク上には、医用画像を保管するサーバや、医用画像を表示・処理する画像ビューア等の医用装置も接続され、さらにネットワークに接続された各装置の動作を管理する管理用のコンピュータ装置等、各種の装置が接続されている。
【０００４】
ところで、このような医用診断装置は、各医用装置が一箇所に集中して配置されているとは限らず、異なるフロアや別室に配置されている場合が多く、救急患者の診断を行う場合には、各医用装置を速やかに立上げる必要がある。しかしながら、各医用装置を立ち上げるためは、それぞれの装置毎にログインの操作が必要になり、ログインするまでに時間がかかってしまい、緊急の診断・治療を要する場合に時間をロスしてしまうという不具合があった。
【０００５】
また、特許文献１には、端末装置からゲートウェイシステムを経由して複数のホストコンピュータと接続されるようなネットワーク環境において、端末装置からのログイン要求を受けて自動的に接続すべきホストコンピュータを決定してログイン手続きを実施するマルチホストログイン制御方式が記載されている。しかしながら、特許文献１に記載の例は、医用装置に対応したものではなく、緊急診断を要する場合に有効な対処法については記載されていない。
【特許文献１】特開平４−３７０８７０号公報
【発明の開示】
【発明が解決しようとする課題】
【０００６】
従来の医用診断装置は、各医用装置を立ち上げる際のログインの操作に手間がかかってしまい、緊急の診断・治療を要する場合に時間をロスしてしまうという不都合があった。また、特許文献１に記載の例は、医用装置に対応したものではなく、緊急診断を要する場合に有効な対処法とは言えない。
【０００７】
本発明は、ネットワークに接続された複数の医用装置を素早くログインまたはログアウトできるようにした医用診断装置及び医用システムを提供することを目的とする。
【課題を解決するための手段】
【０００８】
本発明の請求項1記載の医用診断装置は、複数の医用装置を含み、各医用装置がネットワークを介して接続された医用診断装置であって、前記複数の医用装置をシステムログインするための操作部を有する受付装置と；システムログインする医用装置がリスト化されたログインパターン情報を保管し、前記受付装置によってシステムログインの操作が行われたとき、前記ログインパターン情報に基いていずれかの医用装置に対して前記ネットワークを介してシステムログインの要求を行う管理装置；とを具備し前記システムログインの要求を受けた医用装置をログイン処理して立ち上げるようにしたことを特徴とする。
【０００９】
本発明の請求項９記載の医用診断装置は、システムログインする医用装置がリスト化されたログインパターン情報と、システムログアウトする医用装置がリスト化されたログアウトパターン情報を管理装置に保管し、受付装置によってシステムログイン又はシステムログアウトの操作が行われたとき、選択された医用装置をシステムログイン又はシステムログアウトするようにしたものである。
【００１０】
本発明の請求項１０記載の医用診断装置は、複数の医用装置を含み、各医用装置がネットワークを介して接続された医用診断装置であって、前記複数の医用装置をシステムログインするための操作部を有する受付装置と；システムログインする医用装置がリスト化されたログインパターン情報と、システムログインした際の医用装置の表示画面の遷移を指定する画面遷移情報とを保管し、前記受付装置によってシステムログインの操作が行われたとき、前記ログインパターン情報に基いていずれかの医用装置に対して前記ネットワークを介してシステムログインの要求を行うとともに、表示画面を前記画面遷移情報に従って遷移させる管理装置と；を具備し前記システムログインの要求を受けた医用装置をログイン処理して立ち上げ、画面の表示状態を指定された状態に遷移することを特徴とする。
【００１１】
また、請求項１３記載の医用診断支援装置は、ネットワークに接続された複数の医用装置をシステムログインするための医用診断支援装置であって、前記複数の医用装置をシステムログインするための操作部を有する受付手段と；システムログインする医用装置がリスト化されたログインパターン情報を保管し、前記受付手段によってシステムログインの操作が行われたとき、前記ログインパターン情報に基いていずれかの医用装置に対して前記ネットワークを介してシステムログインの要求を行う管理手段と；を具備し前記管理手段からのシステムログインの要求を受けた医用装置をログイン処理して立ち上げるようにしたことを特徴とする。
【００１２】
本発明の請求項１４記載の医用診断支援装置は、システムログインする医用装置がリスト化されたログインパターン情報と、システムログアウトする医用装置がリスト化されたログアウトパターン情報を管理手段に保管し、受付手段によってシステムログイン又はシステムログアウトの操作が行われたとき、選択された医用装置をシステムログイン又はシステムログアウトするようにしたことを特徴とする。
【００１３】
本発明の請求項１５記載の医用診断支援装置は、ネットワークに接続された複数の医用装置をシステムログインするための医用診断支援装置であって、前記複数の医用装置をシステムログインするための操作部を有する受付手段と；システムログインする医用装置がリスト化されたログインパターン情報と、システムログインした際の医用装置の表示画面の遷移を指定する画面遷移情報とを保管し、前記受付装置によってシステムログインの操作が行われたとき、前記ログインパターン情報に基いていずれかの医用装置に対して前記ネットワークを介してシステムログインの要求を行うとともに、表示画面を前記画面遷移情報に従って遷移させる管理手段；とを具備し前記システムログインの要求を受けた医用装置をログイン処理して立ち上げ、画面の表示状態を指定された状態に遷移することを特徴とする。
【発明の効果】
【００１４】
本発明によれば、ネットワークに接続された複数の医用装置を簡単なログイン操作により、素早く立上げ処理することができ、また、ログアウト操作が簡単に行える医用診断装置及び医用診断支援装置を提供することができる。
【発明を実施するための最良の形態】
【００１５】
以下、この発明の一実施の形態について図面を参照して詳細に説明する。
【実施例１】
【００１６】
図1は、本発明の医用診断装置及び医用診断支援装置の全体的な構成を示す図であり、大別すると受付装置１０と、管理装置２０と、複数の医用装置３０，４０・・・及びそれらを結ぶネットワーク１００で構成される。
【００１７】
医用装置３０，４０・・・は、Ｘ線ＣＴ装置、Ｘ線診断装置、超音波診断装置、ＭＲＩ装置（磁気共鳴イメージング装置）等の各種の画像診断装置や、医用画像を保管するサーバ、医用画像を表示・処理する画像ビューア、読影ワークステーション（ＷＳ）等から成り、以下の説明ではこれら装置を総称して医用装置と言う。
【００１８】
受付装置１０は、ユーザ（医師等）によってシステムログイン(またはシステムログアウト)を要求するもので、管理装置２０は、システムログイン(またはシステムログアウト)の要求を受けて、医用装置３０，４０のログイン(もしくはログアウト)処理を実行し、医用装置３０，４０・・・を操作可能(もしくは操作不可能)状態にするものである。
【００１９】
これら、受付装置１０、管理装置２０、及び医用装置３０，４０における、ログイン・ログアウト処理のための構成を以下に具体的に説明する。尚、以下の説明において、「システムログイン」、「システムログアウト」とは、ネットワーク１００を介して医用装置３０，４０の立上げや立下げ操作を行うものであり、装置を個別にログイン又はログアウト操作する場合は、単に「ログイン」又は「個別ログイン」、或いは「ログアウト」又は「個別ログアウト」として説明する。
【００２０】
受付装置１０は、機能的に示すと図２のような構成を有しており、処理の流れに沿って示すと、ログイン又はログアウトのためのＵＩ（ユーザインターフェース）１１と、ログイン又はログアウト処理を実行する処理実行モジュール１２と、ユーザ管理モジュール１３、及びシステムへのログイン・ログアウト要求を通知する通知モジュール１４、システムユーザ管理モジュール１５を含む。また、操作部(図示せず)からのユーザ（医師等）の指示等を入力するための入力部１６と、ネットワーク１００との接続用インターフェース（Ｉ／Ｆ）１７を有している。
【００２１】
ログイン又はログアウトＵＩ１１は、ユーザによる個別のログイン又はログアウトの指示や、システムログイン又はシステムログアウトの指示を受付け処理するものである。ユーザは、ユーザ認証情報（ユーザＩＤやパスワード）も合わせて入力可能である。処理実行モジュール１２は、受付装置１０に対して通常のログイン又はログアウトの指示がなされた場合にユーザ認証を行い、受付装置１０のログイン又はログアウト処理を行う。認証結果はユーザ管理モジュール１３で管理される。また、管理装置２０及び医用装置３０，４０を含めたシステムログイン又はシステムログアウトの要求があった場合は、通知モジュール１４に対してシステムへのログイン又はログアウトの要求が送られる。
【００２２】
通知モジュール１４は、システムログイン又はシステムログアウトの要求があったとき、受付装置１０から管理装置２０へネットワーク１００を介してシステムログイン又はシステムログアウト要求があったことを通知する。また、このときシステムユーザ管理モジュール１５は、ユーザ認証を行い、その認証結果に基きシステムログイン又はシステムログアウトの操作を行ったユーザが、適切な権限をもっているか否かを確認し、ユーザ認証情報をシステム全体に配布しても良いか否かをチェックし、ユーザの管理を行う。尚、システムユーザ管理モジュール１５は、受付装置１０ではなく、管理装置２０にあってもよいし、ユーザ管理モジュール１３で代用することにより、システムユーザ管理モジュール１５は省略することもできる。
【００２３】
管理装置２０は、図３に示すように、システムログイン・ログアウト管理モジュール２１と、1つ以上のログイン又はログアウトのパターン集２２と、ログイン・ログアウトパターンを設定・管理するパターン設定・管理モジュール２３と、ログイン・ログアウトパターンの編集を行う編集ＵＩ２４から構成される。さらに、ユーザからの編集操作による指示を入力するための入力部２５と、ネットワーク１００との接続用インターフェース（Ｉ／Ｆ）２６を有している。
【００２４】
システムログイン・ログアウト管理モジュール２１は、受付装置１０から通知されたシステムログイン又はシステムログアウトの要求を、設定・管理モジュール２３に伝え、設定・管理モジュール２３はパターン集２２からいずれかのログイン又はログアウトのパターンを選択して、システムログイン・ログアウト管理モジュール２１に送り、選択したパターンをネットワーク１００を介して医用装置３０，４０に配布し、システムログイン・ログアウトの要求を行う。
【００２５】
また、編集ＵＩ２４は、ユーザの操作によりログインパターン又はログアウトパターンの追加・削除・変更等の要求があった場合に、パターン集２２を編集処理する。ログインパターンは、装置識別情報や、ユーザＩＤ、パスワード等のリストで構成された情報であり、ログアウトパターンは、少なくとも装置識別情報を含むリストで構成された情報であり、パターン設定・管理モジュール２３によって管理され、編集ＵＩ２４を通してユーザからの操作に応じて追加・削除などの編集が可能である。
【００２６】
次に、複数の医用装置３０，４０…について、医用装置３０を代表的に示すと、図４のように、ログイン・ログアウトＵＩ３１、ログイン・ログアウト処理を実行する実行モジュール３２、ユーザ管理モジュール３３等の他に、システムログイン・ログアウト実行モジュール３４を含んで構成される。また、ユーザからの個別ログインの操作等による指示を入力するための入力部３５と、ネットワーク１００との接続用インターフェース（Ｉ／Ｆ）３６を有している。
【００２７】
ログイン・ログアウトＵＩ３１と実行モジュール３２は、ユーザが個別に医用装置３０のログイン又はログアウト処理を行うためのモジュールであり、システムログイン・ログアウト実行モジュール３４は、ネットワーク１００を介して医用装置３０のログイン又はログアウト処理を実行するモジュールである。
【００２８】
ログイン・ログアウトＵＩ３１及びシステムログイン・ログアウト実行モジュール３４からはユーザ認証情報が入力され、実行モジュール３２によってユーザ認証が行われ、ユーザ管理モジュール３３で管理される。
【００２９】
システムログイン・ログアウト実行モジュール３４は、管理装置２０からのシステムログイン・ログアウト要求、及びユーザ認証情報を受け、実行モジュール３２及びユーザ管理モジュール３３を介して現在の使用状況（既にログインされているか否か）を判断し、ユーザ管理モジュール３３からのカレントユーザ情報にしたがって、システムログイン・ログアウト実行モジュール３４は、医用装置３０でのシステムログイン・ログアウトの処理を実行する。
【００３０】
尚、受付装置１０、管理装置２０、及び医用装置３０，４０には、各装置の動作を制御するため、ＣＰＵ等を含む制御部１８，２７，３７を備えている。
【００３１】
次に、このような医用診断装置及び医用診断支援装置におけるログインの動作を図５を参照して説明する
図５のステップＳ１において、ユーザ（医師等）が受付装置１０でログイン操作を行うと、受付装置１０内でユーザ認証とログイン処理を行う。また、ユーザがシステムログインの操作を行う場合は、ログインパターンを指定する。
【００３２】
ステップＳ２においては、システムログインも同時に要求されているか否かが判別され、システムログインが要求されている場合、システムログイン処理を実施するためステップＳ３に移行し、システムログインの要求がない場合は処理を完了する。システムログインは、受付装置１０の個別ログイン操作と同時に要求してもよいし、その前後、すなわち受付装置１０のログイン操作前に要求してもよいし、受付装置１０のログイン処理後に、例えばユーザの操作により要求してもよい。
【００３３】
ステップＳ３では、システムとしてのユーザ認証、権限チェックを実施し、システムログインが実施できるか否かのチェックを行う。システムとしてのユーザ認証、権限チェックは、受付装置１０のシステムユーザ管理モジュール１５で行う。また、管理装置２０側にシステムユーザ管理モジュールを設けて、管理装置２０側でユーザ認証、権限チェックを実施してもよい。
【００３４】
ステップＳ４では、管理装置２０に対してシステムログインを要求する。この場合、同時にログインパターン（後述）を指定する。あるいは、ログインパターンの指定がない場合は予め設定したログインパターンを指定するようにしても良い。
【００３５】
次にステップＳ５において、管理装置２０は、受付装置１０からのシステムログイン要求に基き、パターン集２２の中から指定されたログインパターン情報を取得する。あるいは指定がない場合は、予め設定したログインパターン情報を取得する。その際、システムとしてのユーザ認証、権限チェックを実施するとよい。
【００３６】
パターン集２２は、図６に示すようなログインパターン２２１，２２２等を含み、パターン名称、装置リストを含み、装置リストには装置名、ユーザＩＤ、パスワード等が含まれている。例えば、ログインパターン２２１は、パターン名称が「頭部緊急検査」であり、装置リストは「Ｘ線ＣＴ装置」及び「読影ワークステーション」であり、それぞれの装置を操作可能なユーザを示すユーザＩＤ、パスワードがリスト化されている。これにより、頭部の診断を行う際に必要な医用装置とそれを操作するユーザのユーザＩＤ、パスワードを取得できる。
【００３７】
また、ログインパターン２２２は、パターン名称が「腹部緊急検査」であり、装置リストは「超音波診断装置」及び「読影ワークステーション」であり、それぞれの装置についてユーザＩＤ、パスワードがリスト化されている。尚、各医用装置を操作可能なユーザが初期設定されている（デフォルトを用いる）場合は、各医用装置のログインに必要なユーザ認証情報の添付は省略してもよい。
【００３８】
こうして、管理装置２０は、パターン集２２にリストされているログインパターンを基に、ステップＳ６において、各医用装置３０，４０…に対してシステムログインの要求を行う。
【００３９】
次にステップＳ７において、各医用装置３０，４０は、管理装置２０からのログイン要求を受信すると、現在のログイン状態を確認する。このステップＳ７でログアウトの状態だった場合、ステップＳ８に移行し、受信したシステムログインのためのユーザ認証情報を用いて、医用装置でのユーザ認証とシステムログインの処理を行う。管理装置２０でユーザ認証情報が保証される場合は、ユーザ認証を省略してもよい。また、現在のログイン状態の確認（ステップＳ７）を省略して、管理装置２０からのシステムログイン要求を即座に実施してもよい。
【００４０】
ステップＳ７で、既にユーザが医用装置にログインしている状態でユーザの変更を要しない場合（ステップＳ９でNOの場合）は、改めてログインを行わずに処理を終了する。またステップＳ１０において、受信したユーザ認証情報を用いて、医用装置のユーザ認証とログイン処理を行い、ユーザ変更を行う場合は、ユーザ変更を行って処理を終了する。
【００４１】
ユーザを変更する場合、医用装置３０，４０（もしくは、管理装置２０、受付装置１０）のユーザに対して確認・選択(変更する・変更しない)を促すようにしてもよい。また、ユーザの変更を、予め設定した優先度（例えば、ユーザの権限管理）によって決定してもよい。例えば、ユーザAはユーザBに変更可能であるが、ユーザBはユーザAに変更できないといった優先度を設定しても良い。また、複数のユーザがログインしている状態（マルチログイン状態）に遷移してもよい。
【００４２】
尚、ステップＳ７，Ｓ８，Ｓ９，Ｓ１０から成るステップＳ１１は、１つの医用装置（例えば３０）に対するシステムログイン処理を示したもので、このステップＳ１１と同様の処理を行うステップＳ１２，Ｓ１３・・・が他の医用装置４０・・・に並行して適用され、ログインパターンで設定された各医用装置のシステムログインが実施される。
【００４３】
次に、本発明の医用診断装置及び医用システムにおけるログアウトの動作を図７を参照して説明する。
【００４４】
図７のステップＳ２１において、ユーザ（医師等）が受付装置１０でログアウト操作を行うと、受付装置１０内でログアウト処理を行う。また、ユーザがシステムログアウトの操作を行う場合は、ログアウトパターンを指定する。
【００４５】
ステップＳ２２においては、システムログアウトも同時に要求されているか否かが判別され、システムログアウトが要求されている場合、システムログアウト処理を実施するためステップＳ２３に移行し、システムログアウトの要求がない場合は処理を完了する。システムログアウトは、受付装置１０の個別ログアウト操作と同時に要求しても良いし、受付装置１０がログインしている状態でユーザ操作により要求しても良い。或いは、受付装置１０がログイン待機にあるときにユーザ操作により要求しても良い。
【００４６】
ステップＳ２３では、システムとしてのユーザ認証、権限チェックを実施し、システムログアウトが実施できるか否かのチェックを行う。システムとしてのユーザ認証、権限チェックは、受付装置１０のシステムユーザ管理モジュール１５で行う。また、管理装置２０側にシステムユーザ管理モジュールを設けて、管理装置２０側でユーザ認証、権限チェックを実施してもよい。
【００４７】
ステップＳ２４では、管理装置２０に対してシステムログアウトの要求があったことを通知する。この場合、同時にログアウトパターン（後述）を指定する。あるいは、ログアウトパターンの指定がない場合は予め設定したログアウトパターンを選択するようにしても良い。また、システムログアウト要求時には、システムログアウトのためのユーザ認証情報、例えば受付装置１０でのログアウトに用いられたユーザ認証情報などを添付すると良い。
【００４８】
次にステップＳ２５において、管理装置２０は、受付装置１０からのシステムログアウト要求に基き、パターン集２２の中から指定されたログアウトパターン情報を取得する。あるいは指定がない場合は、予め設定したログアウトパターン情報を取得する。その際、システムとしてのユーザ認証、権限チェックを実施してもよい。
【００４９】
パターン集２２は、図８に示すようなログアウトパターン２３１，２３２等を含み、パターン名称、装置リストを含み、装置リストには装置名が含まれている。例えば、ログアウトパターン２３１は、パターン名称が「頭部緊急検査」であり、装置リストは「Ｘ線ＣＴ装置」及び「読影ワークステーション」である。また、ログアウトパターン２３２は、パターン名称が「腹部緊急検査」であり、装置リストは「超音波診断装置」及び「読影ワークステーション」である。
【００５０】
こうして、管理装置２０は、パターン集２２にリストされているログアウトパターンを基に、ステップＳ２６において、ログアウトパターンにリストされている各医用装置３０，４０…に対してシステムログアウト要求を行う。
【００５１】
次にステップＳ２７において、各医用装置３０，４０は、管理装置２０からのシステムログアウト要求を受信すると、現在のログイン状態を確認する。このステップＳ２７でログインの状態（ＹＥＳ）であった場合、ステップＳ２８に移行し、ログアウト処理を行う。管理装置２０からユーザ認証情報が添付されている場合は、ログアウトのためのユーザ認証、権限チェックを実施しても良い。
【００５２】
ステップＳ２７で、既に医用装置がログアウトしている状態（ＮＯ）であった場合は、処理を終了する。また、システムログアウトする際に、医用装置３０，４０・・・（もしくは、管理装置２０、受付装置１０）のユーザに対して確認・選択(ログアウトする・しない)を促すようにしてもよい。また、システムログアウトの可否を、あらかじめ設定された優先度（例えばユーザの権限管理）によって決定してもよい。例えばユーザAがログイン中は遠隔のユーザBの要求でログアウト可能、ユーザBがログイン中は遠隔のユーザAの要求でログアウト不可能といった優先度をつけても良い。さらに、複数のユーザがログインしている状態（マルチログイン状態）の場合、該当ユーザだけ、又はすべてのユーザをログアウトさせてもよい。また、マルチログイン状態の場合も、医用装置３０，４０・・・(もしくは、管理装置２０、受付装置１０) のユーザに対して確認・選択（全てログアウトする・該当ユーザだけログアウトする）を促すようにしてもよい。
【００５３】
尚、ステップＳ２７，Ｓ２８から成るステップＳ２９は、１つの医用装置（例えば３０）に対するシステムログアウトの処理を示したもので、このステップＳ２９と同様の処理を行うステップＳ３０，Ｓ３１・・・が他の医用装置４０・・・に並行して適用され、ログアウトパターンで設定された各医用装置のシステムログアウト処理が実施される。
【００５４】
こうして、本発明の医用診断装置及び医用診断支援装置によれば、ネットワーク１００に接続された複数の医用装置３０，４０・・・をログイン・ログアウトパターンにしたがって、素早くシステムログイン又はシステムログアウトすることができる。特に複数の医用装置が異なるフロアや離れた場所に配置されている場合であっても、救急患者の診断を行う際には、各医用装置を速やかにシステムログインして立上げることができ、緊急の診断・治療を要する場合に医師が素早く処置することができる。また、システムログアウトする場合も、各医用装置をそれぞれ個別に立ち下げる必要がなく、時間のロスを低減することができる。
【実施例２】
【００５５】
図９は本発明の医用診断装置及び医用診断支援装置の他の実施形態を示すものであり、先の実施形態で説明したようにシステムログイン機能の他に、システムログインしたときに各種の医用画像を素早く表示できるようにしたものである。尚、図９において、図１と同様の機能を有する装置は同一番号を付し、各種医用装置の名称は具体名を記している。
【００５６】
図９において、１００は、ＬＡＮ等のネットワークであり、ネットワーク１００には、Ｘ線ＣＴ装置３０、Ｘ線診断装置４０、読影ワークステーション（ＷＳ）５０、超音波診断装置６０、ＭＲＩ装置７０（磁気共鳴イメージング装置）等の画像診断装置が接続されている。また、ネットワーク１００には、上記した画像診断装置の他に医用画像を保管する医用サーバ８０や、医用画像を表示・処理する画像ビューア装置９０等が接続されている。また、Ｘ線ＣＴ装置３０には、収集コンソール３１と画像表示コンソール３２が接続されている。
【００５７】
さらに診断システムのログインの受付処理等を行う受付装置１０、及びネットワーク１００に接続された各装置の動作を管理する管理装置２０等が設けられている。
【００５８】
図９の医用診断装置において、管理装置２０は、図３と同様の構成であるが、システムログインのためのパターンの構成が異なっている。即ち、パターン集２２には、任意の医用装置をシステムログインするパターン情報のほかに、システムログインしたときに各種の医用画像を素早く表示するための画面遷移情報が保管されている。画面遷移情報は、緊急検査を行う際に、システムログインした医用装置の表示画面が臨床に適した画面に遷移するように指示するための情報である。
【００５９】
図１０は、図９の管理装置２０に保管されているパターン集２２に従って緊急検査時にどの医用装置をシステムログインさせるか、また表示画面をどのように遷移させるかを説明する説明図である。
【００６０】
図１０において、縦軸は緊急検査の種類を示しており、例えば、「頭部緊急検査」、「腹部緊急検査」、「循環器緊急検査」がある。また、横軸は緊急検査の際に使用する画像診断装置を示しており、例えばＸ線ＣＴ装置に接続された「収集コンソール」、「画像表示コンソール」、及び「読影ＷＳ」、「Ｘ線診断装置」、「超音波診断装置」がある。
【００６１】
図１０の中の○印は、各緊急検査においてそれぞれ使用する医用装置を示し、例えば頭部緊急検査の際には、Ｘ線ＣＴ装置３０、収集コンソール３１、画像表示コンソール３１、及び読影ＷＳ５０をシステムログインすることを示している。同様に腹部緊急検査の際には、読影ＷＳ５０と、超音波診断装置６０をシステムログインし、循環器緊急検査の際には、読影ＷＳ５０と、X線診断装置４０と、超音波診断装置６０をシステムログインすることを示している。
【００６２】
また、各医用装置をシステムログインする際には、認証のためのユーザＩＤが設定される他、画面の表示形態も設定されている。例えば頭部緊急検査の場合、Ｘ線ＣＴ装置３０がシステムログインするが、それに合わせて収集コンソール３１の画面は緊急検査登録の画面から頭部検査準備の画面へ遷移するように設定され、画像表示コンソール３２は画面表示の準備に移行し、読影ＷＳ５０は３Ｄアプリケーションの画面に遷移するように設定される。
【００６３】
また、腹部緊急検査の場合、超音波診断装置６０は緊急検査登録の画面から腹部検査準備の画面へ遷移するように設定され、読影ＷＳ５０は静止画像の画面が表示されるように設定される。循環器緊急検査の場合は、読影ＷＳ５０で動画像が表示され、X線診断装置４０は循環器検査の画面に移行し、超音波診断装置６０は患者登録画面が表示されるように設定される。
【００６４】
緊急検査時の各医用装置における表示画面の遷移の例を以下に説明する。図１１は、頭部緊急検査時の収集コンソール３１の画面の遷移を示し、（ａ）はログアウトの状態を示し、システムログインすると（ｂ）のように緊急検査登録画面に切替わり、（ｃ）のように緊急用に予め定められた患者ＩＤと患者名が自動的に入力され、（ｄ）の検査プランの選択画面まで自動的に遷移する。そして、頭部検査プランＡ又はＢの選択待ちとなる。
【００６５】
図１２は、頭部緊急検査時の画像表示コンソール３２の画面の遷移を示し、（ａ）はログアウトの状態を示し、システムログインすると（ｂ）のようにＸ線ＣＴ装置で撮影した画像を表示するよう準備状態に切替わる。
【００６６】
図１３は、頭部緊急検査時の読影ＷＳ５０の画面の遷移を示し、（ａ）はログアウトの状態を示し、システムログインすると（ｂ）のように表示モードの選択画面に移行し、自動で３Ｄ表示が選択され、（ｃ）で示すように患者名の選択モードになる。ここで、患者名が選択されてＯＫボタンがクリックされると３Ｄ画面(図示は省略)が表示される。
【００６７】
したがって、図９の実施形態では、システムログインの機能の他に画面の遷移設定が可能となる。
【００６８】
図１４は、受付装置１０におけるシステムログインのパターンの設定動作を説明する図である。尚、パターン設定は管理装置２０でも設定こともできる。
【００６９】
図１４（ａ）は、各医用装置に対するシステムログインのし方、システムログインした後の画面の表示状態を設定する際の初期画面を示し、画面の左欄は緊急検査等の種類を選択する画面であり、右欄はシステムログインさせる医用装置を選択する画面である。
【００７０】
図１４（ａ）の左欄では「システム頭部緊急検査」を選択した場合を例示し、右欄では頭部緊急検査に必要な例えば「収集コンソール」と、「画像表示コンソール」と、「読影ＷＳ」をそれぞれログインするように選択した場合を示している。
【００７１】
また、図１４（ｂ）は収集コンソール３１のログイン時の詳細設定の画面であり、「緊急ユーザでログイン」、「緊急検査登録実行」、「頭部検査」の各項目が選択され、システムログインした後の画面の表示形態が設定可能になっている。
【００７２】
図１４（ｃ）は画像表示コンソール３２のログイン時の詳細設定の画面であり、「緊急ユーザでログイン」、「画像表示画面に遷移する」、「頭部画像」の各項目が選択されている。さらに、図１４（ｄ）は読影ＷＳ５０のログイン時の詳細設定の画面であり、「緊急ユーザでログイン」、「臨床アプリケーションを起動する」、「３Ｄ」の各項目が選択された例を示している。
【００７３】
また、図１５はパターン設定の他の例を説明する図である。図１５（ａ）の左欄ではシステム腹部緊急検査を選択した場合を例示し、右欄では腹部緊急検査に必要なコンソール１と、コンソール２をそれぞれログインするように選択した場合を示している。
【００７４】
図１５（ｂ）はコンソール２の詳細設定の画面であり、「通常ユーザでログイン」、「コンソール１がログアウトされたらログインする」、「画像表示画面に遷移する」の各項目が選択された場合を例示している。この例では、例えばコンソール１とコンソール２を使用するとき、１つのコンソール１を使用した診断が終わったあとに、次のコンソール２をログインするように設定することができる。このように、パターンの設定は医師の診断に合わせて設定することが可能であり、システムログインの順序や、画面の表示状態を任意に設定することができる。
【００７５】
図１６、図１７は受付装置１０によりシステムログインの操作がなされた後、特にシステムログインの順序を制御する際の管理装置２０及び各医用装置の動作シーケンスを示す説明図である。
【００７６】
図１６の場合、ユーザによるシステムログインの操作が行われると、受付装置１０は管理装置２０に対してシステムログインの要求を行う。これを受けて管理装置２０は、パターンの要求とパターンの選択を行い、パターン集２２から選択されたパターンを基に医用装置、例えば収集コンソール３１に対してシステムログインの要求と画面遷移の要求を行い、収集コンソール３１をシステムログインし、かつ表示画面を臨床に適した画面に遷移する。これにより、ユーザはＸ線ＣＴ装置で撮影した画像データを収集し、各種の処理を行うことができる。
【００７７】
次に、ユーザによって収集コンソール３１のログアウトの操作が行われると、ログアウトの通知が管理装置２０に送られ、管理装置２０はパターンに設定されている次の動作、例えば収集コンソールでログアウト後、画像表示コンソールにログインする、といった情報を取得し、次のパターン要求とパターン選択を行い、医用装置例えば画像表示コンソール３２に対してシステムログインの要求と画面遷移の要求を行い、画像表示コンソール３２をシステムログインし、かつ表示画面を臨床に適した画面に遷移する。
【００７８】
これにより、ユーザは画像表示コンソール３２に対して画像の確認操作を行うことができ、各種の処理を行うことができる。尚、図１６においては、管理装置２０から収集コンソール３１と画像表示コンソール３２に対して順次にシステムログインの要求と画面遷移の要求を行うようにしているが、管理装置２０から収集コンソール３１と画像表示コンソール３２に対して同時に並行的にシステムログインの要求と画面遷移の要求を行うようにすることもできる。
【００７９】
図１７も同様のシーケンスで動作するが、この場合は収集コンソール３１のログアウトの操作があったとき、管理装置２０を介することなく直接、収集コンソール３１から画像表示コンソール３２に対してシステムログインの要求と画面遷移の要求を行う点が図１６と異なっている。
【００８０】
各医用装置に対するシステムログインの要求や画面遷移の要求はパターン設定の段階で任意に設定することが可能であり、緊急検査の種類に応じてシステムログインする医用装置の順序や、システムログインした後の画面の表示形態を適宜設定することができる。
【００８１】
このように、本発明では、患者の容態に応じてログインパターンを指定し、この指定したログインパターン (又は予め設定したログインパターン)を基に、即座に関連する医用装置を立ち上げることにより、緊急の診断・治療に対処することが可能となる。また画面遷移情報にしたがって任意の医用装置を立ち上げたときに表示画面を臨床に適した画面に遷移することができ、緊急検査をより一層迅速に行うことが可能となる。
【００８２】
尚、以上の説明に限定されることなく、種々の変形が可能である。例えば、受付装置、管理装置、医用装置は、システム内に1つ以上存在すればよく、受付装置と管理装置は独立のコンピュータ装置として構成しても良いし、同一のコンピュータ装置内に構成しても良い。また、複数の医用装置３０，４０・・・のいずれかに受付装置を備え、複数の医用装置３０，４０・・・のいずれかに管理装置を備えてもよい。さらには、複数の医用装置３０，４０・・・のいずれかに受付装置と管理装置を備えてもよく、特許請求の範囲を逸脱しない範囲で種々の実施形態が考えられる。
【図面の簡単な説明】
【００８３】
【図１】本発明の医用診断装置の一実施形態の全体構成を示すブロック図。
【図２】同実施形態における受付装置の構成を説明する説明図。
【図３】同実施形態における管理装置の構成を説明する説明図。
【図４】同実施形態における医用装置の構成を説明する説明図。
【図５】同実施形態におけるシステムログインの動作を説明するフローチャート。
【図６】同実施形態におけるログインパターンの一例を説明する説明図。
【図７】同実施形態におけるシステムログアウトの動作を説明するフローチャート。
【図８】同実施形態におけるログアウトパターンの一例を説明する説明図。
【図９】本発明の医用診断装置の第２の実施形態の構成を示すブロック図。
【図１０】第２の実施形態におけるシステムログインされる医用装置と画面遷移の一例を説明する説明図。
【図１１】第２の実施形態における画面遷移の例を示す説明図。
【図１２】第２の実施形態における画面遷移の他の例を示す説明図。
【図１３】第２の実施形態における画面遷移のさらに他の例を示す説明図。
【図１４】第２の実施形態におけるログインパターンの設定の一例を示す動作説明図。
【図１５】第２の実施形態におけるログインパターン設定の他の例を示す動作説明図。
【図１６】第２の実施形態における動作シーケンスを説明する説明図。
【図１７】第２の実施形態における動作シーケンスの他の例を説明する説明図。
【符号の説明】
【００８４】
１０…受付装置
２０…管理装置
３０…医用装置、Ｘ線ＣＴ装置
３１…収集コンソール
３２…画像表示コンソール
４０…医用装置、Ｘ線診断装置
５０…読影装置
６０…超音波診断装置
７０…ＭＲＩ装置
８０…医用サーバ装置
９０…医用画像ビューア装置
１００…ネットワーク
【図１】
2007068787.tif 000003
【図２】
2007068787.tif 000004
【図３】
2007068787.tif 000005
【図４】
2007068787.tif 000006
【図５】
2007068787.tif 000007
【図６】
2007068787.tif 000008
【図７】
2007068787.tif 000009
【図８】
2007068787.tif 000010
【図９】
2007068787.tif 000011
【図１０】
2007068787.tif 000012
【図１１】
2007068787.tif 000013
【図１２】
2007068787.tif 000014
【図１３】
2007068787.tif 000015
【図１４】
2007068787.tif 000016
【図１５】
2007068787.tif 000017
【図１６】
2007068787.tif 000018
【図１７】
2007068787.tif 000019